(57)【要約】      （修正有）【課題】ライトワンス・メモリ部に、必要な画像情報を効率的に記憶可能な記憶媒体及びそれを装着可能な電子カメラを提供する。【解決手段】メモリカード５０のＣＰＵ５４が、画像情報をまずメモリモジュールＭＭ１に記憶する。その後、メモリモジュールＭＭ１に記憶された画像情報を、第２，第１インタフェース部５２，５１を介して読み出し表示すると共に、画像情報を記憶するか否かを表示する。ユーザーが記憶を所望する場合、記憶ボタン２１ｂを押すことでその信号がメモリカード５０のＣＰＵ５４に伝達され、画像情報をメモリモジュールＭＭ１からライトワンス・メモリ部５３へと転送し、そこに記憶した上でメモリモジュールＭＭ１の画像情報を消去する。記憶を所望しない場合、キャンセルボタン２１ｃを押すことで、その信号がメモリカード５０のＣＰＵ５４に伝達され、メモリモジュールＭＭ１からライトワンス・メモリ部５３へと転送することなく消去する。【選択図】    図２
2004186855.tif 000002
【特許請求の範囲】
【請求項１】
電子カメラに装着自在な記憶媒体であって、
少なくとも前記電子カメラと通信する第１インタフェース部と、
前記記憶媒体に装填されるメモリモジュールと通信する第２インタフェース部と、
前記第１インタフェース部及び前記第２インタフェース部に対して通信可能に接続され、画像情報を記憶し所定の条件下でその読み出しを許容するが消去不可能となっているライトワンス・メモリ部と、
制御部と、を有し、
前記制御部は、前記記憶媒体にメモリモジュールが装填されたときは、装填されたメモリモジュールから情報を読み出すことによってその種類を判別し、判別した種類に応じて、前記ライトワンス・メモリ部に対する画像情報の記憶又は読み出しに関する制御を変更することを特徴とする電子カメラに装着自在な記憶媒体。
【請求項２】
前記制御部は、前記記憶媒体に、画像情報を記憶しその読み出しを許容しその消去が可能となっているメモリモジュールが装填されたときは、前記第１インタフェース部より入力した画像情報を、前記ライトワンス・メモリ部に記憶する前に、前記メモリモジュールに記憶することを特徴とする請求項１に記載の電子カメラに装着自在な記憶媒体。
【請求項３】
前記制御部は、前記記憶媒体に、所定のキー情報に対応づけたロック情報を記憶したメモリモジュールが装填されたときは、前記ロック情報を読み出すことに応じて、前記第１インタフェース部を介して前記所定のキー情報が入力されない限り、前記ライトワンス・メモリ部に記憶された画像情報が前記第１インタフェース部を介して読み出されることを禁止することを特徴とする請求項１又は２に記載の電子カメラに装着自在な記憶媒体。
【請求項４】
前記制御部は、前記記憶媒体にメモリモジュールが装填されていないと判断した場合、前記第１インタフェース部より入力した画像情報を、前記ライトワンス・メモリ部に直接記憶することを特徴とする請求項１乃至３のいずれかに記載の電子カメラに装着自在な記憶媒体。
【請求項５】
請求項１乃至４のいずれかに記載の記憶媒体を装置可能であることを特徴とする電子カメラ。
【発明の詳細な説明】
【０００１】
【発明の属する技術分野】
本発明は、記憶媒体及び電子カメラに関し、特に画像情報を記憶し読み出しを許容するが消去不能なライトワンス・メモリ部を備えた記憶媒体及び前記記憶媒体を装着可能となっている電子カメラに関する。
【０００２】
【従来の技術】
電子技術の向上に伴い、撮像（撮影ともいう）した画像をデジタルデータに変換して記憶する電子カメラが開発され、既に市販されている。ユーザーは、電子カメラにより撮像した画像を、たとえば自分のパソコンのディスプレイに表示でき、またプリンタを介してプリントできるため、その応用範囲は広いものとなっている。
【０００３】
かかる電子カメラは、メモリカードなどの記憶手段を装着可能となっており、装着されたメモリカードには、その記憶容量分だけ、撮影によって取得した画像情報を記憶できるようになっている。又、メモリカードの記憶残量が少なくなった場合には、不要な画像情報を消去することで、新たな画像情報を記憶できるようになっている。しかるに、メモリーカードは画像情報の記憶と消去を任意に行えるものであるから、電子カメラには非常に有効なものだが、一般的には高価であるという問題がある。
【０００４】
これに対し、近年、ライトワンスと呼ばれるメモリが開発されるに至った。ライトワンス・メモリは、画像情報を記憶しその読み出しを許容するが上書き不能なメモリであり、その構成上、比較的安価である。従って、ライトワンス・メモリを電子カメラの記憶手段として用いることができれば、ユーザーの負担が減少するので好ましい。ライトワンス・メモリに関しては、以下のＵＲＬのホームページに詳細に記載されている。
【非特許文献１】
ＵＲＬ  ｈｔｔｐ：／／ｗｗｗ．ｍａｔｒｉｘｓｅｍｉ．ｃｏｍ／
【０００５】
【発明が課題を解決しようとする課題】
ところで、ライトワンス・メモリは、記憶した画像情報を消去不能なものであるから、撮影に失敗した画像情報や、本人が記憶を望まない画像情報などを記憶すると、それにより記憶可能な残り容量が低下し、必要な画像情報を有効に記憶できないという問題がある。更に、ユーザーが第三者の閲覧に供することを望まない画像に関しては、閲覧を禁止してセキュリティ確保やプライバシー保護を図る必要がある。
【０００６】
本発明は、かかる従来技術の問題点に鑑みてなされたものであり、ライトワンス・メモリ部に、必要な画像情報を効率的に記憶可能な記憶媒体及びそれを装着可能な電子カメラを提供することを目的とする。
【０００７】
【課題を解決するための手段】
上述の目的を達成すべく、本発明の電子カメラは、電子カメラに装着自在な記憶媒体であって、少なくとも前記電子カメラと通信する第１インタフェース部と、前記記憶媒体に装填されるメモリモジュールと通信する第２インタフェース部と、前記第１インタフェース部及び前記第２インタフェース部に対して通信可能に接続され、画像情報を記憶し所定の条件下（例えば制御部が許可する場合等）でその読み出しを許容するが消去不可能となっているライトワンス・メモリ部と、制御部と、を有し、前記制御部は、前記記憶媒体にメモリモジュールが装填されたときは、装填されたメモリモジュールから情報を読み出すことによってその種類を判別し、判別した種類に応じて、前記ライトワンス・メモリ部に対する画像情報の記憶又は読み出しに関する制御を変更するので、種類の異なるメモリモジュールを装填することで、前記記憶媒体を異なる機能を有するメモリとして用いることが可能となる。
【０００８】
例えば、前記制御部が、前記記憶媒体に、画像情報を記憶しその読み出しを許容しその消去が可能となっているメモリモジュール（例えばフラッシュ・メモリ）が装填されたときは、前記第１インタフェース部より入力した画像情報を、前記ライトワンス・メモリ部に記憶する前に、前記メモリモジュールに記憶すると、かかる記憶媒体を電子カメラに装着したときに、まずフラッシュ・メモリ等に画像情報を記憶することで、ユーザーは電子カメラのモニター等を介して画像情報の取捨選択を行うことができ、必要な画像情報のみを前記ライトワンス・メモリ部に記憶し直すことで、前記ライトワンス・メモリ部の記憶容量を有効に活用できる。
【０００９】
或いは、前記制御部が、前記記憶媒体に、所定のキー情報に対応づけたロック情報を記憶したメモリモジュールが装填されたときは、前記ロック情報を読み出すことに応じて、前記第１インタフェース部を介して前記所定のキー情報が入力されない限り、前記ライトワンス・メモリ部に記憶された画像情報が前記第１インタフェース部を介して読み出されることを禁止すると、前記ライトワンス・メモリ部に画像情報を記憶した前記記憶媒体より、所定のキー情報に対応づけたロック情報を記憶したメモリモジュールを抜いておけば、許可を得ていない者がその画像情報を閲覧することが不可能となり、セキュリティ確保等を図れる。
【００１０】
又、前記制御部は、前記記憶媒体にメモリモジュールが装填されていないと判断した場合、前記第１インタフェース部より入力した画像情報を、前記ライトワンス・メモリ部に直接記憶すると、前記記憶媒体を通常のライトワンス・メモリと同様に用いることができる。尚、メモリモジュールの装填部には、ダミーを装填すれば、ゴミなどの侵入を抑制できる。
【００１１】
【発明の実施の形態】
以下、図面を参照して本発明の実施の形態にかかる記憶媒体を説明するが、その前に、かかる記憶媒体を装着可能な電子カメラについて説明する。図１は、本実施の形態にかかる記憶媒体を装着可能な電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１２】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。更に、図１（ｂ）に示すように、デジタルスチルカメラ１００の側面には、記憶媒体であるメモリカード５０を装着可能なスロット１００ａが形成されている。なお、各構成部における詳細な説明は、後述する機能的構成の説明と併せて記載する。閃光発光部は、ポップアップタイプのため図示されていない。
【００１３】
図２は、デジタルスチルカメラ１００の機能的構成を、メモリカード５０の機能的構成を含めて示すブロック図である。図２において、デジタルスチルカメラ１００は、撮影光学系であるレンズユニット１、絞り２、ＣＣＤ３からなる撮像部２４、撮像回路４、Ａ／Ｄ変換回路５、バッファメモリであるメモリ６、Ｄ／Ａ変換回路７、画像表示部８、カメラインタフェース部９，圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、ＥＥＰＲＯＭ２０、ズームスイッチであるズームスイッチＳＴを含む操作ＳＷ２１、閃光発光部２２、補助光発光手段である補助光発光部３０（ＡＦ用の補助光発光部や赤目軽減ランプと兼用できる）、スイッチング回路２３とから構成される。
【００１４】
これに対し、メモリカード５０は、メモリモジュール等を装填可能となっており、第１インタフェース部５１と、第２インタフェース部５２と、画像情報を記憶し且つ記憶した画像情報を読み出し可能であるが、その消去は不可能となっているライトワンス・メモリ部５３と、これらの制御を司る制御部であるＣＰＵ５４とを有する。デジタルスチルカメラ１００に、メモリカード５０が装着された状態で、不図示の端子を介して、カメラインタフェース部９と、第１インタフェース部５１とは通信可能に接続される。又、メモリカード５０にメモリモジュールが装填された状態で、不図示の端子を介して、第１インタフェース部５１とメモリモジュールとは通信可能に接続される。
【００１５】
デジタルスチルカメラ１００において、撮像部２４は、被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ  Ｃｏｕｐｌｅｄ  Ｄｅｖｉｃｅ）３により構成され、光電変換された画像信号（アナログ信号）を撮像回路４ヘ出力する。すなわち、撮像部２４は、撮像部としての機能を有する。
【００１６】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像情報を出力する。
【００１７】
メモリ６は、バッファメモリ等から構成され、入力された画像信号を一時的に記憶する。また、メモリ６は、ＣＰＵ１１より画像表示指示を受けると、Ｄ／Ａ変換回路７に画像表示指示された画像情報を出力し、Ｄ／Ａ変換回路７は、入力された画像情報をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像情報（たとえばＪＰＥＧ形式で）を出力し、圧縮伸長回路１０は、入力された画像情報をカメラインタフェース部９を介して、装着されたメモリカード５０側に出力する。
【００１８】
画像表示部（表示部ともいう）８は、ＴＦＴ（Ｔｈｉｎ  Ｆｉｌｍ  Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００１９】
また、メモリカード５０は、ＣＰＵ１１より画像読み出し指示を受けると、所定の条件下で、圧縮伸長回路１０に読み出し指示された画像情報を出力し、圧縮伸長回路１０は、入力された画像情報の伸長処理を行ってメモリ６に出力する。
【００２０】
圧縮伸長回路１０は、メモリ６から入力された画像情報を所定の符号化方式で圧縮する圧縮回路と、読み出し指示された画像情報を画面表示するためにメモリカード５０から入力された画像情報を復号化して伸長する伸長回路と、からなる。すなわち、圧縮伸長回路１０は、圧縮手段としての機能を有する。
【００２１】
ＣＰＵ（Ｃｅｎｔｒａｌ  Ｐｒｏｃｅｓｓｉｎｇ  Ｕｎｉｔ）１１は、ＥＥＰＲＯＭ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２２】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像情報の圧縮化を行い、ライトワンス・メモリ９に出力する。
【００２３】
ＴＧ（Ｔｉｍｉｎｇ  Ｇｅｎｅｒａｔｏｒ）１２は、所定のタイミング信号を発生して撮像回路４、ＣＰＵ１１、ＣＣＤドライバ１４に出力する。
【００２４】
ＡＥ（Ａｕｔｏ  Ｅｘｐｏｓｕｒｅ：自動露光制御）・ＡＦ（Ａｕｔｏ  Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像情報に対して実行される。
【００２５】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００２６】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像情報の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００２７】
ここで、ＣＰＵ１１、ＡＦ処理回路によるＡＦ処理について説明する。ＣＰＵ１１は、駆動手段である光学系駆動モータ駆動回路１８を駆動制御してレンズユニット１の第２レンズ群を移動させながら各レンズ位置で漸次ＣＣＤ３により画像信号を生成させる。ＡＥ・ＡＦ処理回路１３は、Ａ／Ｄ変換回路５から入力された画像情報毎にＡＦ評価値を算出し、その比較を行って最大ＡＦ評価値であるレンズ位置を合焦点として検出し、ＣＰＵ１１に出力する。
【００２８】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００２９】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は、後述のごとく移動する。
【００３０】
電池１９は、デジタルスチルカメラ１００の各構成部に電力を供給する電力源であり、例えば、リチウム電池やアルカリ乾電池等が適用される。
【００３１】
フラッシュメモリであっても良いＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２０は、デジタルスチルカメラ１００の撮像に関る各種アプリケーションプログラム、処理プログラム等を記憶する。
【００３２】
操作ＳＷ（スイッチ）２１は、レリーズスイッチ２１ａや、後述する記憶ボタン２１ｂ、キャンセルボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３３】
閃光発光部２２は、撮影時に検出された周囲環境の輝度が不足する場合に、被写体にストロボ光を発光する発光部であり、スイッチング回路２３によりその発光タイミングや発光量等が制御される。
【００３４】
図３は、メモリカード５０の斜視図である。図４、５は、画像表示部の表示例を示す図である。図３において、メモリーカード５０は、異なる種類のメモリモジュールＭＭ１〜ＭＭ３のいずれかを装填可能な凹部５０ａを有している。メモリモジュールＭＭ１〜ＭＭ３のいずれかが凹部５０ａに装填されたとき、メモリカード５０のＣＰＵ５４は、いずれのメモリモジュールが装填されたか判別でき、それに応じて以下のような制御を行う。
【００３５】
例えば、メモリカード５０に、画像情報を記憶しその読み出しを許容しその消去が可能となっているフラッシュ・メモリであるメモリモジュールＭＭ１が装填されたことを、ＣＰＵ５４が、第２インタフェース５２を介してメモリモジュールＭＭ１より読み出した情報で認識した場合、第１インタフェース部５１を介してデジタルスチルカメラ１００により取得した画像情報を入力したときは、ライトワンス・メモリ部５３に記憶する前に、メモリモジュールＭＭ１に記憶する。
【００３６】
すなわち、デジタルスチルカメラ１００が取得した画像情報を、メモリカード５０のライトワンス・メモリ部５３に直接記憶する場合、失敗した画像や不要な画像にかかる画像情報などを任意に消去できないため、ライトワンス・メモリ部５３の記憶容量を有効に活用できないという問題がある。これに対し、本実施の形態によれば、ＣＰＵ５４が、デジタルスチルカメラ１００が取得した画像情報を、まずメモリモジュールＭＭ１に記憶する。その後、デジタルスチルカメラ１００のＣＰＵ１１が、メモリモジュールＭＭ１に記憶された画像情報を、第２インタフェース部５２，第１インタフェース部５１を介してデジタルスチルカメラ１００側に読み出し、画像表示部８に画像として表示すると共に、表示された画像にかかる画像情報を記憶するか否かを問いかけるメッセージＣ１を表示する。かかる表示を見たユーザーが記憶を所望する場合、操作スイッチ２１の記憶ボタン２１ｂを押すことで、その信号がメモリカード５０のＣＰＵ５４に伝達され、ＣＰＵ５４は、かかる画像情報をメモリモジュールＭＭ１からライトワンス・メモリ部５３へと転送し、そこに記憶した上でメモリモジュールＭＭ１の画像情報を消去する。一方、ユーザーが記憶を所望しない場合、操作スイッチ２１のキャンセルボタン２１ｃを押すことで、その信号がメモリカード５０のＣＰＵ５４に伝達され、ＣＰＵ５４は、かかる画像情報をメモリモジュールＭＭ１からライトワンス・メモリ部５３へと転送することなく消去する。以上の制御により、ライトワンス・メモリ部５３には、ユーザーが所望する画像情報のみが記憶されることになるので、その記憶容量を有効に活用できる。尚、以上の記憶選択処理は、撮影毎、或いはメモリモジュールＭＭ１に所定の容量の画像情報が蓄積されたときなど、任意のタイミングで行える。
【００３７】
次に、メモリカード５０に、所定のキー情報（パスワード）に対応づけたロック情報を記憶したメモリモジュールＭＭ２が装填された場合、ＣＰＵ５４は、第２インタフェース５２を介してメモリモジュールＭＭ２より読み出したそのロック情報を読み出すことで、ライトワンス・メモリ部５３に記憶された画像情報の読み出しを禁止する。
【００３８】
かかる場合、デジタルスチルカメラ１００側から、第１インタフェース部５１を介して、ライトワンス・メモリ部５３に記憶された画像情報の読み出しが要求された場合、メモリカード５０のＣＰＵ５４は、閲覧不能である旨の信号をデジタルスチルカメラ１００のＣＰＵに伝達する。すると、図５に示すように、デジタルスチルカメラ１００のＣＰＵ１１は、画像表示部８に、画像情報の閲覧が禁止されていること、及び閲覧するにはパスワードの入力が必要である旨のメッセージＣ２を表示する。かかる表示を見たユーザーがパスワードを操作スイッチ２１を用いて入力し、決定ボタン２１ｄを押すことで、その信号がメモリカード５０のＣＰＵ５４に伝達される。メモリモジュールＭＭ２より読み出したロック情報に、入力されたパスワードが対応していると判断すれば、ＣＰＵ５４は、ライトワンス・メモリ部５３より画像情報を読み出して、デジタルスチルカメラ１００側に転送する。それにより、画像表示部８は画像を表示できることとなる。しかし、メモリモジュールＭＭ２より読み出したロック情報にパスワードが対応していないと判断すれば、ＣＰＵ５４は、ライトワンス・メモリ部５３より画像情報の読み出し禁止を続行し、セキュリティの確保等を図る。
【００３９】
又、メモリモジュールＭＭ３は、凹部５０を介してゴミなどが進入することを阻止する機能を有するダミーであり、情報を記憶する機能を有していない。かかる場合、ＣＰＵ５４は、メモリカード５０にメモリモジュールＭＭ３が装填されている際には、第２インタフェース部５２を介して読み出す情報がないことから、ダミーが装填されている（すなわち情報を記憶したメモリモジュールＭＭ１、ＭＭ２は装填されていない）と判断し、第１インタフェース部５１より入力した画像情報を、ライトワンス・メモリ部５３に直接記憶することで、目降りカード５０を通常のライトワンス・メモリと同様に用いることができる。
【００４０】
以上、本発明を実施の形態を参照して説明してきたが、本発明は上記実施の形態に限定して解釈されるべきではなく、適宜変更・改良が可能であることはもちろんである。
【００４１】
【発明の効果】
本発明によれば、ライトワンス・メモリ部に、必要な画像情報を効率的に且つセキュリティを確保した状態で記憶可能な記憶媒体及びそれを装着可能な電子カメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を、メモリカード５０の機能的構成と共に示すブロック図である。
【図３】メモリカード５０の斜視図である。
【図４】画像表示部８の表示例を示す図である。
【図５】画像表示部８の表示例を示す図である。
【符号の説明】
８  画像表示部
１１  ＣＰＵ
２１  操作スイッチ
５０  メモリカード
５１  第１インタフェース部
５２  第２インタフェース部
５３  ライトワンス・メモリ部
５４  ＣＰＵ
１００  デジタルスチルカメラ
【図１】
2004186855.tif 000003
【図２】
2004186855.tif 000004
【図３】
2004186855.tif 000005
【図４】
2004186855.tif 000006
【図５】
2004186855.tif 000007